(57)【要約】【課題】省スペースを図りつつ、光ファイバの補強部寸法・形状がまちまちであっても、それらを確実に保持することができる補強部ホルダを提供する。【解決手段】メカニカルスプライス３１の長手方向Ｙ１の長さが一対の両端狭持部２２、２３間より短ければ、６０mmスリーブ３０より短手方向Ｙ２の幅が大きいメカニカルスプライス３１を中央狭持部２４、２５により狭持して保持することができる。また、メカニカルスプライス３１より短手方向Ｙ２の幅が小さい６０mmスリーブ３０は一対の両端狭持部２２、２３により２カ所狭持して保持することができる。【選択図】図３
2006053221.tif 000002
【特許請求の範囲】
【請求項１】
光ファイバ同士の接続部を補強する補強部を、狭持して保持する補強部ホルダであって、
第１補強部の短手方向を２カ所、狭持するための一対の第１狭持部と、
前記一対の第１狭持部間に設けられると共に、前記第１補強部より短手方向の幅が大きい第２補強部の当該短手方向を狭持するための第２狭持部とを備えたことを特徴とする補強部ホルダ。
【請求項２】
請求項１記載の補強部ホルダであって、
前記第１狭持部は、当該補強部ホルダ底面から突設された、前記第１補強部を挟む一対の狭持片を有し、
前記一対の狭持片は各々、前記第１補強部側の側面に、突設方向に対して平行な辺が形成され、該辺によって前記第１補強部を狭持することを特徴とする補強部ホルダ。
【請求項３】
請求項１又は２記載の補強部ホルダであって、
前記第２狭持部は、前記第２補強部側の側面から、当該補強部ホルダ底面と平行に突設された凸部が形成されていることを特徴とする補強部ホルダ。
【請求項４】
請求項１〜３何れか１項記載の補強部ホルダであって、
前記第２補強部の狭持位置と対向するホルダ底面において、前記短手方向に第２狭持部が形成されていない部分に凹部が形成されていることを特徴とする補強部ホルダ。
【発明の詳細な説明】
【技術分野】
【０００１】
本発明は、補強部ホルダに係り、特に、光ファイバ同士の接続部を補強する補強部を、狭持して固定する補強部ホルダに関するものである。
【背景技術】
【０００２】
近年、いわゆるインターネットのように大容量のデータ通信の必要性が増加している。そこで、多量のデータを伝達できる光ファイバを利用した通信回線が急速に整備されつつある。光ファイバの長さは有限であるため、中継点に設けた光ファイバ配線箱などの内部において光ファイバ同士を接続して必要な長さを確保することとなる。
【０００３】
上述した光ファイバ同士の接続は、端部の被覆を削除して、ガラス部分を露出し、ガラス部分同士を融着することにより行われる。接続部は被覆がなくガラスが露出しているため、この接続部に補強スリーブ（＝補強部）を被せて、熱収縮させて、強さを補強している。また、上述した融着接続以外に例えばメカニカルスプライスによる接続、補強が知られている。
【０００４】
上述した中継点に設けた光ファイバ配線箱には、上述した光ファイバ同士の接続部を補強する補強部である補強スリーブやメカニカルスプライスを保持する補強部ホルダや、光ファイバの余長処理する余長処理部を収容する収容トレイが多段に積層して配置される。
【０００５】
上述した補強部ホルダとしては、例えば、ホルダに形成された溝に、潤をつけてはめ込みプラスチックシートなどで固定するタイプや、ホルダをゴムで形成し、補強スリーブやメカニカルスプライスを挟み込んで固定するタイプが存在する（特許文献１、２）。前者のタイプは、溝には複数種類のスリーブやメカニカルスプライスをはめ込むことができるが、それだけではしっかり固定できないため、プラスチックシートを被せて固定する必要があり、コストがかかるという問題があった。後者のタイプは、着脱が簡単で、固定も確実であるが、スリーブやメカニカルスプライスのサイズ毎にホルダを形成しなければならずこれもコスト的に問題があった。
【０００６】
そこで、例えば、径の小さいスリーブを狭持する第１狭持部上に、径の大きいスリーブを狭持する第２狭持を積層したホルダが考えられている（特許文献３）。しながら、この場合、積層方向の寸法が大きくなってしまうという問題があった。
【特許文献１】特開平１０−３０１００８号公報
【特許文献２】特開２００４−５４１１０号公報
【特許文献３】特開２００２−７１９６８号公報
【発明の開示】
【発明が解決しようとする課題】
【０００７】
そこで、本発明は、上記のような問題点に着目し、省スペースを図りつつ、光ファイバの補強部寸法・形状がまちまちであっても、それらを確実に保持することができる補強部ホルダを提供することを課題とする。
【課題を解決するための手段】
【０００８】
請求項１記載の発明は、光ファイバ同士の接続部を補強する補強部を、狭持して保持する補強部ホルダであって、第１補強部の短手方向を２カ所、狭持するための一対の第１狭持部と、前記一対の第１狭持部間に設けられると共に、前記第１補強部より短手方向の幅が大きい第２補強部の当該短手方向を狭持するための第２狭持部とを備えたことを特徴とする補強部ホルダに存する。
【０００９】
請求項１記載の発明によれば、第２補強部の長手方向の長さが一対の第１狭持部間より短ければ、第１補強部より短手方向の幅が大きい第２補強部を第２狭持部により狭持して保持することができる。また、第２補強部より短手方向の幅が小さい第１補強部は一対の第１狭持部により２カ所狭持して保持することができる。従って、第１狭持部及び第２狭持部を積層することなく、短手方向の幅が異なる２つの第１補強部及び第２補強部を狭持して保持することができる。
【００１０】
請求項２記載の発明は、請求項１記載の補強部ホルダであって、前記第１狭持部は、当該補強部ホルダ底面から突設された、前記第１補強部を挟む一対の狭持片を有し、前記一対の狭持片は各々、前記第１補強部側の側面に、突設方向に対して平行な辺が形成され、該辺によって前記第１補強部を狭持することを特徴とする補強部ホルダに存する。
【００１１】
請求項２記載の発明によれば、第１狭持部は、補強部ホルダ底面から突設された、第１補強部を挟む一対の狭持片を有する。一対の狭持片にはそれぞれ第１補強部側の側面に、突設方向に対して平行な辺が形成されている。第１補強部は、一対の狭持片側面に形成された辺で狭持される。従って、一対の狭持片側面に形成した辺により第１補強部を狭持することにより、第１狭持部は第１補強部をその長手方向へのスライドを防止しつつ、狭持することができる。しかも、第１補強部として熱収縮スリーブを用いた場合、第２補強部に比べて断面サイズが小さい第１補強部は熱収縮時に断面サイズのばらつきが少なく、弾性も少ないため、辺で狭持する場合であっても確実に狭持することができる。
【００１２】
請求項３記載の発明は、請求項１又は２記載の補強部ホルダであって、前記第２狭持部は、前記第２補強部側の側面から、当該補強部ホルダ底面と平行に突設された凸部が形成されていることを特徴とする補強部ホルダに存する。
【００１３】
請求項３記載の発明によれば、第２狭持部は、第２補強部側の側面から、補強部ホルダ底面と平行に突設された凸部が形成されている。従って、凸部と補強部ホルダ底面とによっても、第２補強部を狭持することができる。このため、例えば、第２補強部として熱収縮スリーブを用いた場合、第１補強部に比べて断面サイズが大きい第２補強部は熱収縮時に断面サイズにばらついてしまうが、確実に保持することができる。
【００１４】
請求項４記載の発明は、請求項１〜３何れか１項記載の補強部ホルダであって、前記第２補強部の狭持位置と対向するホルダ底面において、前記短手方向に第２狭持部が形成されていない部分に凹部が形成されていることを特徴とする補強部ホルダに存する。
【００１５】
請求項４記載の発明によれば、第２補強部の狭持位置と対向するホルダ底面において、短手方向に第２狭持部が形成されていない部分に凹部が形成されている。従って、凹部を形成することにより、第１及び第２補強部を取り外すときは、凹部に指又はマイナスドライバの先を差し込み、第１及び第２補強部を上に押し上げるだけで簡単に取り外すことができる。
【発明の効果】
【００１６】
以上説明したように請求項１記載の発明によれば、省スペースを図りつつ、光ファイバの補強部寸法・形状がまちまちであっても、それらを確実に保持することができる補強部ホルダを得ることができる。
【００１７】
請求項２記載の発明によれば、一対の狭持片側面に形成した辺により第１補強部を狭持することにより、第１狭持部は第１補強部をその長手方向へのスライドを防止しつつ、狭持することができる。しかも、第１補強部として熱収縮スリーブを用いた場合、第２補強部に比べて断面サイズが小さい第１補強部は熱収縮時に断面サイズのばらつきが少なく、弾性も少ないため、辺で狭持する場合であっても確実に狭持することができるので、より確実に補強部を保持することができる補強部ホルダを得ることができる。
【００１８】
請求項３記載の発明によれば、凸部と補強部ホルダ底面とによっても、第２補強部を狭持することができる。このため、例えば、第２補強部として熱収縮スリーブを用いた場合、第１補強部に比べて断面サイズが大きい第２補強部は熱収縮時に断面サイズにばらついてしまうが、確実に保持することができる補強部ホルダを得ることができる。
【００１９】
請求項４記載の発明によれば、凹部を形成することにより、第１及び第２補強部を取り外すときは、凹部に指又はマイナスドライバの先を差し込み、第１及び第２補強部を上に押し上げるだけで簡単に取り外すことができる補強部ホルダを得ることができる。
【発明を実施するための最良の形態】
【００２０】
以下、本発明の補強部ホルダについて図面を参照して以下説明する。図１は本発明の補強部ホルダであるスリーブホルダを組み込んだ光接続箱の一実施の形態を示す図である。図１に示す光接続箱は樹脂製であり、その光接続箱底面略中央には光ファイバを保持する光ファイバフック１１などから構成され、光ファイバの余長を収納するための余長収納部１０が一体形成されている。さらに、この余長収容部１０の外側には熱収縮スリーブやメカニカルスプライスを保持するスリーブホルダ２０が一体形成されている。このように、余長収容部１０やスリーブホルダ２０を光接続箱本体と一体形成することにより、コストダウンを図ることができる。
【００２１】
上述したスリーブホルダ２０について、図２及び図３を参照して以下説明する。図２（ａ）〜（ｃ）はそれぞれ、スリーブホルダ２０の拡大天面図、長手方向Ｙ１から見た拡大側面図、図１のＩ−Ｉ線断面図である。また、図３（ａ）〜（ｃ）はそれぞれ、スリーブホルダ２０に６０mmスリーブ３０（単心／長さ６０mm）、メカニカルスプライス３１（４×４×４０mm）を保持させた状態での拡大天面図、長手方向Ｙ１から見た拡大側面図、図１のＩ−Ｉ線断面図である。
【００２２】
図２（ａ）に示すように、スリーブホルダ２０には、底面から突設された仕切壁によって６０mmスリーブ３０や、４０mmスリーブ（単心・多心／長さ４０mm）、メカニカルスプライス３１を差し込むための２つの溝２１が互いに平行に配列されている。仕切壁には、図３に示すように、６０mmスリーブ３０（＝第１補強部）の短手方向Ｙ２を２カ所、狭持するための一対の両端狭持部２２、２３（＝第１狭持部）が形成されている。
【００２３】
また、仕切壁の一対の両端狭持部２２、２３間にはそれぞれ、６０mmスリーブ３０より短手方向Ｙ２の幅が大きいメカニカルスプライス３１（＝第２補強部）の短手方向Ｙ２を狭持するための中間狭持部２４、２５が形成されている。なお、図３では、中間狭持部２５にメカニカルスプライス３１が狭持されているが、例えば、メカニカルスプライス３１とほぼ同サイズの４０mmスリーブを狭持することもできる。
【００２４】
次に、上述した両端狭持部２２、２３の詳細な構成について図４を参照して以下説明する。図４（ａ）及び（ｂ）はそれぞれ、両端狭持部２２の拡大天面図、拡大斜示図を示す。同図に示すように、両端狭持部２２は、光接続部底面（＝補強部ホルダ底面）から突設された、６０mmスリーブ３０を挟む一対の狭持片２２ａを有している。一対の狭持片２２ａはそれぞれ、図４（ａ）に示すように、６０mmスリーブ３０側の側面に、長手方向Ｙ１に進むに従って互いに近づく斜面２２ａ１が形成されている。
【００２５】
このような斜面２２ａ１を形成することにより、一対の狭持片２２ａにおける６０mmスリーブ３０側の側面に、図４（ｂ）に示すように突設方向Ｙ３に対して平行な一対の辺２２ａ２を形成することができる。６０mmスリーブ３０はこの一対の辺２２ａ２によって狭持される。両端狭持部２３については、両端狭持部２２と同様であるため、詳細な説明は省略する。
【００２６】
次に、上述した中央狭持部２４、２５の詳細な構成について図５を参照して以下説明する。図５は、図２のＩＩ−ＩＩ線断面図である。同図に示すように、中央狭持部２４、２５には、メカニカルスプライス３１側の側面から、底面２６と平行に突設された凸部２４ａ、２５ａが形成されている。
【００２７】
また、図３に示すように、仕切壁には、メカニカルスプライス３１や４０mmスリーブ（図示せず）の狭持位置における長手方向Ｙ１両端に、この長手方向Ｙ１と直交するストッパ壁２７が形成されている。
【００２８】
さらに、スリーブホルダ２０には、図２及び図３に示すように、メカニカルスプライス３１や４０mmスリーブの狭持位置と対向するホルダ底面２６において、短手方向Ｙ２に中央狭持部２４、２５が形成されていない部分に凹部２８が形成されている。
【００２９】
以上の構成のスリーブホルダ２０において、例えばメカニカルスプライス３１や、４０mmスリーブに比べて長手方向Ｙ１の長さが長く、短手方向Ｙ２の幅が小さい６０mmスリーブ３１を保持する場合は、両端狭持部２２、２３に６０mmスリーブ３１を差し込みながら狭持する。このとき、中央狭持部２４、２５はメカニカルスプライス３１や４０mmスリーブといった短手方向Ｙ２の幅が大きい補強部用に形成されているため、スリーブ３１の差し込みに干渉することはない。
【００３０】
これに対して、６０mmスリーブ３１に比べて長手方向Ｙ１の長さが短く、短手方向Ｙ２の幅が大きいメカニカルスプライス３１や、４０mmスリーブを保持する場合は、中央狭持部２４、２５にメカニカルスプライス３１や、４０mmスリーブを差し込みながら狭持する。これらメカニカルスプライス３１や４０mmスリーブの長手方向Ｙ１の長さは、両端狭持部２２、２３間より短いため、この差し込みに両端狭持部２２、２３が干渉することはない。
【００３１】
従って、６０mmスリーブ３０を狭持する狭持部及びメカニカルスプライス３１や４０mmスリーブを狭持する狭持部を上下方向（＝突設方向Ｙ３）に積層することなく、短手方向Ｙ２の幅が異なる２つのスリーブ３０と、メカニカルスプライス３１、４０mmスリーブを狭持して保持することができる。
【００３２】
また、上述したように、一対の狭持片２２ａ側面に形成した一対の辺２２ａ２で６０mmスリーブ３０を狭持することにより、６０mmスリーブ３０をその長手方向Ｙ１へのスライドを防止しつつ、狭持することができる。これにより６０mmスリーブ３０の長手方向Ｙ１両端側に、この長手方向Ｙ１と直交する一対のストッパ壁を設けて、この一対のストッパ壁で６０mmスリーブ３０の長手方向をストッパ壁で挟まなくても、６０mmスリーブ３０の長手方向Ｙ１へのスライドを防止することができる。このため、スリーブホルダ２０の長手方向Ｙ１寸法を小さくすることができる。
【００３３】
しかも、熱収縮により光ファイバ接続部に取付られる６０mmスリーブ３０は、４０mmスリーブに比べて断面サイズが小さく、鋼線も中に入っているため、熱収縮時の断面サイズのばらつきが４０mmスリーブに比べて少なく、弾性もあまりない。このため、辺２２ａ２であっても、確実に狭持することができる。
【００３４】
また、中央狭持部２４、２５に凸部２４ａ、２５ａを設けることにより、凸部２４ａ、２５ａと底面２６とによっても、メカニカルスプライス３１や４０mmスリーブの突設方向Ｙ３を挟むことができる。また、両端に形成したストッパ壁２７により、メカニカルスプライス３１や、４０mmスリーブの長手方向Ｙ１を挟むことができる。このため、４０mmスリーブのように、６０mmスリーブ３０に比べて断面サイズが大きく、熱収縮時に断面サイズにばらついてしまう場合であっても、スリーブが抜け落ちることなく、確実に保持することができる。
【００３５】
さらに、凹部２８を形成することにより、６０mmスリーブ３０、４０mmスリーブやメカニカルスプライス３１を取り外すときは、凹部２８に指又はマイナスドライバの先を差し込み、６０mmスリーブ３０、４０mmスリーブやメカニカルスプライス３１を上に押し上げるだけで簡単に取り外すことができる。
【００３６】
なお、上述した実施形態では、６０mmスリーブ３０や40mmスリーブ及びメカニカルスプライス３１などの補強部が並列に２本保持できるようになっていた。しかしながら、本発明はこの場合に限らず例えば、３本、４本と保持できるようにしてもよい。また、上述したスリーブホルダ２０を突設方向Ｙ３に積層出来るよう設けることも考えられる。
【図面の簡単な説明】
【００３７】
【図１】本発明の補強部ホルダであるスリーブホルダを組み込んだ光接続箱の一実施の形態を示す図である。
【図２】（ａ）〜（ｃ）はそれぞれ、スリーブホルダ２０の拡大天面図、長手方向Ｙ１から見た拡大側面図、図１のＩ−Ｉ線断面図である。
【図３】（ａ）〜（ｃ）はそれぞれ、スリーブホルダ２０にスリーブ３０、メカニカルスプライス３１を保持させた状態での拡大天面図、長手方向Ｙ１から見た拡大側面図、図１のＩ−Ｉ線断面図である。
【図４】（ａ）及び（ｂ）はそれぞれ、両端狭持部２２の拡大天面図、拡大斜示図を示す。
【図５】図２に示すスリーブホルダ２０のＩＩ−ＩＩ線断面図である。
【符号の説明】
【００３８】
２２      両端狭持部（第１狭持部）
２２ａ    一対の狭持片
２２ａ２  辺
２３      両端狭持部（第１狭持部）
２４      中央狭持部（第２狭持部）
２４ａ    凸部
２５      中央狭持部（第２狭持部）
２４ａ    凸部
２６      底面（補強部ホルダ底面）
２８      凹部
３０      ６０mmスリーブ（第１補強部）
３１      メカニカルスプライス（第２補強部）
Ｙ１      長手方向
Ｙ２      短手方向
Ｙ３      突設方向
【図１】
2006053221.tif 000003
【図２】
2006053221.tif 000004
【図３】
2006053221.tif 000005
【図４】
2006053221.tif 000006
【図５】
2006053221.tif 000007